(57)【要約】【課題】運搬・設置・撤去作業が容易であり、また、保管に有利な形状に脚部を畳むことのできて保管スペースの省スペース化を図れる脚付きスタンドを提供する。【解決手段】スタンド本体２と、スタンド本体２の下端開口５からスタンド本体２内に収納配置されたスライダー６の引き出し動作および押し込み動作により開脚および閉脚される少なくとも３つの脚部３とから構成する。各脚部３は一端同士を連結ピン９により連結して互いに屈曲および伸長可能な支持ブレード７および連結ブレード８から構成し、各支持ブレード７の他端をスライダー６の下端部に、各連結ブレード８の他端をスタンド本体２の側面４に、それぞれ連結ピン１０，１１により連結する。【選択図】図１
2011001785.tif 000002
【特許請求の範囲】
【請求項１】
スタンド本体と、スタンド本体の下端開口からスタンド本体内に収納配置されたスライダーにより開脚および閉脚される少なくとも３つの脚部とから構成されることを特徴とする脚付きスタンド。
【請求項２】
スライダーの押し込み動作により各脚部が同時に開脚され、スライダーの引き出し動作により各脚部が同時に閉脚される構成であることを特徴とする請求項１記載の脚付きスタンド。
【請求項３】
各脚部が屈伸可能とされ、各脚部の一方の端部がスライダーの下端に回動可能に連結され、各脚部の他方の端部がスタンド本体の側面に回動可能に連結されていることを特徴とする請求項１又は請求項２に記載の脚付きスタンド。
【請求項４】
スライダーの押し込みによる各脚部の最大屈曲時に各脚部がスタンド本体を地面又は床面上に垂直姿勢に支持し、スライダーの引き出しによる各脚部の最大伸長時に各脚部の側面がスタンド本体の側面と略一致する構成であることを特徴とする請求項１ないし請求項３のいずれか一項に記載の脚付きスタンド。
【請求項５】
スタンド本体が断面三角形状の角筒体から構成され、各脚部がスタンド本体の各側面に対応して設けられていることを特徴とする請求項１ないし請求項４のいずれか一項に記載の脚付きスタンド。
【請求項６】
各脚部が互いに屈曲および伸長可能な接地用および連結用の２枚のブレード部材から構成されることを特徴とする請求項１ないし請求項５のいずれか一項に記載の脚付きスタンド。
【請求項７】
スタンド本体の上端に規制ロープを掛け止めする掛け止め部が設けられていることを特徴とする請求項１ないし請求項６のいずれか一項に記載の脚付きスタンド。
【発明の詳細な説明】
【技術分野】
【０００１】
本発明は、規制区域を区画するために地面または床面上に所定間隔をおいて複数本設置される規制用スタンドや標識スタンド等に用いられる脚付きスタンドに関する。
【背景技術】
【０００２】
工場内や工事現場等の立入規制区域を区画するための仮設の用具として、例えばセーフティコーンや防護柵、スタンション（仮設手すり）等がある。セーフティコーンはバーで連結することで立入規制区域を区画することができる。防護柵はスタンドに連結鋼管を差し渡して固定金具により固定し或いは連結鋼管とスタンドにガードフェンスを鉄線により結束して固定することで、工事区分と歩道区分を分ける等、規制区域を区画している。実開平５−８３０２０号にはセーフティコーンの例が、特開２０００−１４４６５７号には防護柵の例がそれぞれ開示されている。
【先行技術文献】
【特許文献】
【０００３】
【特許文献１】実開平５−８３０２０号公報
【特許文献１】特開２０００−１４４６５７号公報
【発明の概要】
【発明が解決しようとする課題】
【０００４】
しかしながら、セーフティコーンは円錐型をしているため、畳んで平らに並べて保管することができず、また、上に重ねても高く積めないので、保管スペースを大きくとってしまう。また、防護柵は組立設置および撤去作業に時間が掛かり、保管する場合もやはり嵩張るという問題があった。かかる問題は、多くの立入規制区域をもつ工場などにおいては、数百本単位のコーンまたはスタンドを用意しなければならない場合があり、保管スペースをいかに広く確保するかが悩みの種とされていた。
【０００５】
本発明は、以上の事情に鑑みてなされたもので、運搬・設置・撤去作業が容易であり、また、保管に有利な形状に脚部を畳むことのできて保管スペースの省スペース化を図れる脚付きスタンドを提供することを目的とする。
【課題を解決するための手段】
【０００６】
上記課題を解決するために、本発明に係る脚付きスタンドは、スタンド本体と、スタンド本体の下端開口からスタンド本体内に収納配置されたスライダーにより開脚および閉脚される少なくとも３つの脚部とから構成されることを第１の特徴とする。
【０００７】
本発明に係る脚付きスタンドは、スライダーの押し込み動作により各脚部が同時に開脚され、スライダーの引き出し動作により各脚部が同時に閉脚される構成であることを第２の特徴とする。
【０００８】
本発明に係る脚付きスタンドは、各脚部が屈伸可能とされ、各脚部の一方の端部がスライダーの下端に回動可能に連結され、各脚部の他方の端部がスタンド本体の側面に回動可能に連結されていることを第３の特徴とする。
【０００９】
本発明に係る脚付きスタンドは、スライダーの押し込みによる各脚部の最大屈曲時に各脚部がスタンド本体を地面又は床面上に垂直姿勢に支持し、スライダーの引き出しによる各脚部の最大伸長時に各脚部の側面がスタンド本体の側面と略一致する構成であることを第４の特徴とする。
【００１０】
本発明に係る脚付きスタンドは、スタンド本体が断面三角形状の角筒体から構成され、各脚部がスタンド本体の各側面に対応して設けられていることを第５の特徴とする。
【００１１】
本発明に係る脚付きスタンドは、各脚部が互いに屈曲および伸長可能な接地用および連結用の２枚のブレード部材から構成されることを第６の特徴とする。
【００１２】
本発明に係る脚付きスタンドは、スタンド本体の上端に規制ロープを掛け止めする掛け止め部を設けることを第７の特徴とする。
【発明の効果】
【００１３】
以上説明したように、本発明に係る脚付きスタンドによれば、スタンド本体に収納配置されたスライダーの押し込みあるいは引き出しによって、各脚部を開脚姿勢あるいは閉脚姿勢とし、脚付きスタンドを容易に運搬・設置・撤去することができる。また、スライダーの引き出しにより各脚部を伸長姿勢にして、横向きの脚付きスタンドを効率よく積み上げて保管することができるという優れた効果を奏する。
【発明を実施するための最良の形態】
【００１４】
本発明を実施するための最良の形態について、図面を参照しながら説明する。図１ないし図６は本発明の一実施形態を示すもので、図中、符号１は規制用の脚付きスタンドを示している。
【００１５】
脚付きスタンド１は、図１に示すように、スタンド本体２と開脚および閉脚可能な３つの脚部３とから構成されている。
【００１６】
スタンド本体２は、高さ約８０ｃｍの細長い角筒部材で、図２の平面図に示すように、互いに隣り合う側面４どうしのなす角度が６０度となる正三角形断面に形成されている。
【００１７】
３つの脚部３は、スタンド本体２を地面Ｇ（又は床面）上に垂直姿勢に支持するもので、図３に示すように、スタンド本体２の下端開口５からスタンド本体２内に収納配置されたパイプ部材からなるスライダー６により、開脚および閉脚可能とされている。
【００１８】
各脚部３の具体的構成を述べると、各脚部３は、互いに屈曲および伸長可能な２枚のブレード、すなわち支持ブレード７および連結ブレード８から構成されている。これら支持ブレード７および連結ブレード８は一端どうしが連結ピン９により連結され互いに屈曲および伸長可能とされている。各支持ブレード７の他端は、スタンド本体２の下端開口５からスタンド本体２内に収納配置されたスライダー６の先端部６ａに対し連結ピン１０により回動可能に連結されている。また、各連結ブレード８の他端は、スタンド本体２の対応する側面４のやや下部寄りに連結ピン１１により連結されている。
【００１９】
これにより、各脚部３は、スライダー６の押し込み動作による最大屈曲時に、３つの各支持ブレード７が地面Ｇに対し一斉に水平姿勢となり、これにより地面Ｇ上にスタンド本体２を垂直姿勢に支持することができる。このとき支持ブレード７とスタンド本体２との間の連結ブレード８が支持ブレード７の水平姿勢を保持するように作用する。
【００２０】
また、各脚部３は、スライダー６の引出動作による最大伸長時（このときスライダー６の半分はスタンド本体２内に残る）に、連結ブレード８および支持ブレード７がスタンド本体２の各側面４と同じ向きおよび角度となるとともに、このとき全体として断面三角形状となり（図２参照）、その結果、図４に示すように、各脚部３の側面がスタンド本体２の側面４と略一致する。したがって、各脚部３の最大伸長時には、スタンド本体の外形状と各脚部３のなす形状がほぼ一致し、スタンド１を並べて積み上げて保管する際に有利となる。
【００２１】
スタンド本体２の上端には規制ロープを掛け止めする３本の棒部材１２からなる掛け止め部１３が設けられている。各棒部材１２は、スタンド本体２の上端開口１４の内側に溶接等でスタンド本体２の長手方向に向くように取付固定され、スタンド１を積み上げて保管する際に邪魔となることがない。
【００２２】
本実施形態において、スタンド本体２および各脚部３の材質は鉄製であるが、材質はこれに限らず、他の金属（ステンレス製、アルミ製等）やプラスチック製であってもよい。また、スタンド本体２および各脚部３は、黄色に着色されるが、着色はこれに限られない。
【００２３】
次に、上記のように構成された脚付きスタンド１の使用方法について以下に説明する。
【００２４】
まず、倉庫に横置きされた脚付きスタンド１を必要数現場に運搬する。脚付きスタンド１は、図４に示すように、脚部３が畳まれた状態で保管されるので一人で一度に数本ずつまとめて運搬することができる。
【００２５】
規制区域の現場に着いたら、スライダー６をスタンド本体２の下端開口５から押し込み、各脚部３を開脚させる。図３（Ａ）に示すように、作業員が脚付きスタンド１を縦にもち、脚付きスタンド１を地面Ｇに軽く押し当てると、図３（Ｂ）に示すように、スライダー６をスタンド本体２の下端開口５から押し込み動作させることができ、伸長姿勢の各脚部３を一斉に屈曲させることができる。
【００２６】
スライダー６の押し込み動作に従い、各脚部３が大きく屈曲して、各支持ブレード７のスライダー６寄りの側面がスタンド本体２の下端開口５の縁に当接してスライダー６の押し込み動作が停止すると（各脚部３の最大屈曲時）、各支持ブレード７は地面Ｇに対し水平姿勢となり、図１に示すように、各支持ブレード７を地面Ｇ上に接地した状態でスタンド本体２を垂直姿勢に支持することができる。
【００２７】
このようにして、図５に示すように、規制区域の内外を区分する脚付きスタンド１をその境界付近に一定間隔で設置し、最後に、それぞれのスタンド本体２の掛け止め部１３に規制ロープ１５を順次掛けていく。なお、図５ではマンホール１６の周囲を規制区域とし、その周囲に脚付きスタンド１を複数本設置してバリケードとする例を示している。
【００２８】
図３（Ａ）（Ｂ）に示すように、作業員が脚付きスタンド１を地面Ｇに軽く押し当てるだけで各脚部３を一度に開脚させてスタンド本体２を地面Ｇ上に素早く設置することができる。脚部３を組み付けたり、１本ごとに開脚させる面倒がなく、その設置作業を容易にかつ速やかに行うことができる。
【００２９】
規制区域内での作業終了後は、設置した各脚付きスタンド１を速やかに撤去することができる。すなわち、脚付きスタンド１を持ち上げると、スライダー６の重みで、スライダー６が自動的に引出動作され、各脚部３が閉脚動作を同時に開始する。作業員が各脚部３の屈曲部分を手で握る等して各脚部３全体を真っ直ぐに伸長させると（最大伸長時）、図４に示すように、連結ブレード８および支持ブレード７が真っ直ぐに伸長してスタンド本体２の各側面４と同じ向きおよび同じ角度となり、各脚部３の各側面がスタンド本体２の各側面４と略一致する。
【００３０】
脚付きスタンド１を現場で細長くコンパクトに畳むことができるので一人で一度に数本ずつまとめて倉庫に運搬することができる。脚付きスタンド１を断面視すると、スタンド本体２部分および各脚部３部分でいずれも略同一の形状をなし、しかも、断面形状が正三角形状をなすので、図６に示すように、脚部３を畳んだ脚付きスタンド１を左右方向および上下方向に、略隙間なく、効率よく並べて積み上げ、保管することができる。
【００３１】
本実施形態の脚付きスタンド１によると、図６に示すように、略隙間なく、効率よく積み上げることができるので、保管スペースが嵩張らずに済み、保管スペースの省スペース化を図ることができる。このため、大量の脚付きスタンドを保管するのに最適な形状を実現することができる。
【００３２】
本実施形態の脚付きスタンド１は図２に示すように断面が三角形状であるが、多角形状であってもよい。例えば、断面を四角形状として、各側面に対応する脚部３を計４本設けたり、五角形状として脚部３を５本設けてもよい。
【産業上の利用可能性】
【００３３】
本発明に係る脚付きスタンドは、屋外または屋内に仮設して、立入禁止、安全確保等、規制区域を区画する用具として利用できる他、店舗やイベントの標識スタンド、フロアスタンドとしても広く利用可能である。
【図面の簡単な説明】
【００３４】
【図１】本発明の一実施形態を示す脚付きスタンドの斜視図、
【図２】図１に示す脚付きスタンドの平面図、
【図３】（Ａ）（Ｂ）は図１に示す脚付きスタンドの各脚部を開脚させる様子を示す説明図、
【図４】図１に示す脚付きスタンドの脚部を畳んだ様子を示す斜視図、
【図５】図１に示す脚付きスタンドを用いて規制区域を区画した様子を示す説明図、
【図６】図４に示す脚付きスタンドを隙間なく並べて積み上げた様子を示す説明図である。
【符号の説明】
【００３５】
１  脚付きスタンド
２  スタンド本体
３  脚部
４  側面
５  下端開口
６  スライダー
６ａ  スライダーの先端部
７  支持ブレード
８  連結ブレード
９，１０，１１  連結ピン
１２  棒部材
１３  掛け止め部
１４  上端開口
１５  規制ロープ
１６  マンホール
Ｇ  地面
【図１】
2011001785.tif 000003
【図２】
2011001785.tif 000004
【図３】
2011001785.tif 000005
【図４】
2011001785.tif 000006
【図５】
2011001785.tif 000007
【図６】
2011001785.tif 000008